(57)【要約】【課題】インクジェット記録ヘッドと連動する紫外線照射装置の安全性を高め且つオゾンやインクの臭いによる環境の悪化を改善する。【解決手段】インクジェット記録装置は、インクジェット記録ヘッド６を主走査方向に移動し、印字媒体を副走査方向に移動し、紫外線硬化型インクをインクジェット記録ヘッド６のノズルから吐出して印字媒体にインクジェット記録ヘッドの印字幅に相当する１ラインずつ印字を行う。インクジェット記録ヘッドと連動する部材にはインク硬化用の紫外線照射装置１０，１２が設けられている。紫外線照射装置１０，１２には排気装置が設けられ、紫外線照射装置１０，１２内に発生した熱やオゾンあるいは印字されたインクから発生する臭いは排気ダクト２６を通じて外部に排出される。【選択図】図１
2004001328.tif 000002
【特許請求の範囲】
【請求項１】
インクジェット記録ヘッドを主走査方向に移動し、印字媒体を副走査方向に移動し、紫外線硬化型インクを前記インクジェット記録ヘッドのノズルから吐出して印字媒体に印字を行う紫外線硬化型インクを使用するインクジェット記録装置において、前記インクジェット記録ヘッドと連動する部材に印字部分にインク硬化用の紫外線を照射するための紫外線照射装置を設け、該紫外線照射装置に排気装置を設け紫外線照射装置内に発生した熱やオゾン及びインクの臭いを外部に排出するようにしたことを特徴とするインクジェット記録装置。
【発明の詳細な説明】
【０００１】
【発明の属する技術分野】
本発明は紫外線硬化型インクを使用するインクジェット記録装置に関する。
【０００２】
【従来の技術】
特開昭６０−１３２７６７号公報には、記録ヘッドの横にＵＶランプ（紫外線ランプ）を設け、印字した直後のインク付着部に紫外線を１度照射するようにしたインクジェットプリンターが開示されている。また、同公報には、記録紙のほぼ全域を照射するに十分な長さを有する紫外線ランプを記録紙の排出側に固定的に設定したインクジェットプリンターが開示されている。
【０００３】
【発明が解決しようとする課題】
記録ヘッドの横や記録ヘッドと連動するキャリッジにＵＶランプを用いた紫外線照射装置を設け、前のラインの印字部分あるいは印字直後の印字部のインクに紫外線を照射する構成とした場合、紫外線照射装置内に熱が発生したりあるいはオゾンが発生し、また、紫外線硬化型インクの印字により、インクの臭いが装置内にこもってしまう。そのためインクジェット記録装置に安全性や環境の点で問題が生じてしまうという問題点があった。
本発明は上記問題点を解決することを目的とするものである。
【０００４】
【課題を解決するための手段】
上記目的を達成するため本発明は、インクジェット記録ヘッドを主走査方向に移動し、印字媒体を副走査方向に移動し、紫外線硬化型インクを前記インクジェット記録ヘッドのノズルから吐出して印字媒体にインクジェット記録ヘッドの印字幅に相当する１ラインずつ印字を行う紫外線硬化型インクを使用するインクジェット記録装置において、前記インクジェット記録ヘッドと連動する部材に印字部分にインク硬化用の紫外線を照射するための紫外線照射装置を設け、該紫外線照射装置に排気装置を設け紫外線照射装置内に発生した熱やオゾン及びインクの臭いを外部に排出するようにしたしたものである。
【０００５】
【発明の実施の形態】
以下に本発明の構成を添付した図面を参照して詳細に説明する。
図１において、符号２はインクジェット記録装置のＹレールであり、機体（図示省略）に固設されている。４はＹレールに、これに沿って往復動可能に取り付けられたヘッドキャリッジであり、これにインクジェット記録ヘッド６が取り付けられている。前記インクジェット記録ヘッド６には、複数のインク吐出用ヘッドが形成されている。
【０００６】
前記記録ヘッド６の主走査方向の両側にはＵＶランプ（紫外線ランプ）８を備えた紫外線照射装置１０，１２が設けられている。１４はＸレールであり、前記Ｙレール２の下方に、該Ｙレール２に対して直角に配置され、機体に支持されている。前記Ｘレール１４にはバキューム機能を有するプラテン１６が、該Ｘレール１４に沿って往復動可能に取り付けられている。前記プラテン１６には、複数の吸気孔が設けられた複数の吸着パッド１９が取り付けられ、該吸着パッド１９上に、プリント基板などの硬質板材から成る印字媒体が吸気により固定されるように構成されている。前記プラテン１６及びヘッドキャリッジ４は、それぞれ、コントローラによって制御される駆動装置に連係している。
【０００７】
前記インクジェット記録ヘッド６には、紫外線硬化型インクが供給され、該インクが記録ヘッド６のインク吐出用ヘッドのノズルから吐出されて、プラテン１６の印字媒体に印字が行われるように構成されている。前記紫外線照射装置１０は、図２に示すように、そのボックス状のカバー１８の内部に、細長状の紫外線ランプ８がブラケット（図示省略）を介して支承されている。前記紫外線ランプ８は、前記カバー１８の底部に形成された紫外線照射用の開口部２０に対向して配置され、該ランプ８の上方に反射板２２が配置されている。
【０００８】
前記反射板２２の下部開口部にはピニオン３０によって駆動される電動用のシャッター２４が配置され、その開口面積を調整できるように構成されている。前記カバー１８の上部には排気口２４が形成され、該排気口２４にフレキシブルなホースから成る排気ダクト２６の一端が連結している。前記排気ダクト２６は、記録ヘッド６のＹレール２に沿った主走査方向の往復運動を阻止しない程度のたるみ（遊び）を存して、その他方側が適宜な箇所に支承され、他端が屋外に導かれている。前記排気口２４の近傍には、電動の排出ファン２８が配置され、ブラケット（図示省略）を介してカバー１８に支承されている。記録ヘッド６の両側の紫外線照射装置１０，１２はいずれも同一の構造となっている。
【０００９】
次に本実施形態の動作について説明する。
まず、プラテン１６上にプリント基板などの板状の印字媒体をセットする。印字動作がスタートすると、ヘッドキャリッジ４は、コントローラの制御により、Ｙレール２に沿って、主走査方向に往復駆動される。一方、記録ヘッド６に対向するプラテン１６は、Ｘレール１４に沿って副走査方向に駆動される。このとき、記録ヘッド６から紫外線硬化型のインク滴が吐出され、プラテン１６の印字媒体に１ラインずつ印字が行われるとともに、印字媒体上の印字直後の印字部及び前のラインの印字部に紫外線照射装置１０，１２のＵＶランプによって紫外線が照射される。印字動作中、及び紫外線照射装置の駆動中、排出ファン２８が駆動され、カバー１８内に発生した熱やオゾン及びプリント基板に印字されたインクから発生する臭いなどが排気口２４から強制的に、排気ダクト２６を通って屋外あるいは所定の場所に排出される。また記録ヘツド６が図示していない待機位置に戻った時にも、ファン２８を駆動させるようにすれば装置内にこもったインクの臭いなども合わせて屋外あるいは所定の場所に排出することができる。
【００１０】
【発明の効果】
本発明は上述の如く、記録ヘッドと連動する紫外線照射装置に排気装置を設けたので、効率良く熱やオゾンを排気することができ、しかもインクの臭いも一緒に排気することができるのでインクジェット記録装置の公害問題を解消でき、しかも紫外線照射装置内の温度の上昇を押さえることができる。
【図面の簡単な説明】
【図１】本発明の要部の外観説明図である。
【図２】紫外線照射装置の説明的断面図である。
【符号の説明】
２　　　Ｙレール
４　　　ヘッドキャリッジ
６　　　記録ヘッド
８　　　ＵＶランプ
１０　　紫外線照射装置
１２　　紫外線照射装置
１４　　Ｘレール
１６　　プラテン
１８　　カバー
１９　　吸着パッド
２０　　開口部
２２　　反射板
２４　　排気口
２６　　排気ダクト
２８　　排出ファン
３０　　ピニオン
【図１】
2004001328.tif 000003
【図２】
2004001328.tif 000004